【手続補正書】
【提出日】平成17年4月20日(2005.4.20)
【手続補正１】
【補正対象書類名】明細書
【補正対象項目名】特許請求の範囲
【補正方法】変更
【補正の内容】
【特許請求の範囲】
【請求項１】
直流分を含む入力アナログ信号とこの入力アナログ信号をクランプするための帰還信号とを加算する加算手段と、
この加算手段の出力を増幅する第１増幅手段と、
この第１増幅手段の出力をＡ／Ｄ変換してこれを出力信号として出力するＡ／Ｄ変換手段と、
このＡ／Ｄ変換手段の出力を所定値と比較する比較手段と、
この比較手段の出力をイネーブル信号の出力期間中に積分する積分手段と、
この積分手段の出力を増幅して前記加算手段に前記帰還信号として帰還させる第２増幅手段とを備え、
前記第１増幅手段と前記第２増幅手段は増幅率をそれぞれ独立に設定自在であり、前記第１増幅手段の増幅率の設定の際には、その設定増幅率に依存して前記第２増幅手段の増幅率を設定するようにしたことを特徴とする直流クランプ回路。
【請求項２】
前記第１増幅手段の増幅率と前記第２増幅手段の増幅率の積が一定となるように前記第１増幅手段と前記第２増幅手段の増幅率を設定するようにしたことを特徴とする請求項１に記載の直流クランプ回路。
【請求項３】
直流分を含む入力アナログ信号とこの入力アナログ信号をクランプするための帰還信号とを加算する加算手段と、
この加算手段の出力を増幅する第１増幅手段と、
この第１増幅手段の出力をＡ／Ｄ変換してこれを出力信号として出力するＡ／Ｄ変換手段と、
このＡ／Ｄ変換手段の出力を所定値と比較する比較手段と、
この比較手段の出力をＤ／Ａ変換するＤ／Ａ変換手段と、
このＤ／Ａ変換手段の出力をイネーブル信号の出力期間中に積分し、この積分値を前記加算手段に前記帰還信号として帰還させる積分手段とを備え、
前記第１増幅手段の増幅率と、前記Ｄ／Ａ変換手段のＤ／Ａ変換にかかる基準レベルとをそれぞれ独立に設定自在であり、前記第１増幅手段の増幅率の設定の際には、その設定増幅率に依存して前記Ｄ／Ａ変換手段の基準レベルを設定するようにしたことを特徴とする直流クランプ回路。
【請求項４】
前記第１増幅手段の増幅率と前記Ｄ／Ａ変換手段の基準レベルの積が一定となるように前記第１増幅手段の増幅率と前記Ｄ／Ａ変換手段の基準レベルを設定するようにしたことを特徴とする請求項３に記載の直流クランプ回路。
【請求項５】
直流分を含む入力アナログ信号とこの入力アナログ信号をクランプするための帰還信号とを加算する加算手段と、
この加算手段の出力を増幅する第１増幅手段と、
この第１増幅手段の出力をＡ／Ｄ変換してこれを出力信号として出力するＡ／Ｄ変換手段と、
このＡ／Ｄ変換手段の出力を所定値と比較する比較手段と、
この比較手段の出力をＤ／Ａ変換するＤ／Ａ変換手段と、
このＤ／Ａ変換手段の出力をイネーブル信号の出力期間中に積分し、この積分値を前記加算手段に前記帰還信号として帰還させる積分手段と、
この積分手段の出力を増幅して前記加算手段に前記帰還信号として帰還させる第２増幅手段とを備え、
前記第１増幅手段と前記第２増幅手段の増幅率および前記Ｄ／Ａ変換手段のＤ／Ａ変換にかかる基準レベルをそれぞれ独立に設定自在であり、前記第１増幅手段の増幅率の設定の際には、その設定増幅率に依存して前記第２増幅手段の増幅率および前記Ｄ／Ａ変換手段の基準レベルを設定するようにしたことを特徴とする直流クランプ回路。
【請求項６】
前記第１増幅手段の増幅率と前記第２増幅手段の増幅率と前記Ｄ／Ａ変換手段の基準レベルとの積が一定となるように前記第１増幅手段の増幅率、前記第２増幅手段の増幅率、および前記Ｄ／Ａ変換手段の基準レベルを設定するようにしたことを特徴とする請求項５に記載の直流クランプ回路。
【請求項７】
直流分を含む入力アナログ信号とこの入力アナログ信号をクランプするための帰還信号とを加算するとともに、その加算値を増幅する増幅手段と、
この増幅手段の出力をＡ／Ｄ変換してこれを出力信号として出力するＡ／Ｄ変換手段と、
このＡ／Ｄ変換手段の出力を所定値と比較する比較手段と、
この比較手段の出力をイネーブル信号の出力期間中に積分し、その積分値を前記増幅手段に前記帰還信号として帰還させる積分手段とを備え、
前記増幅手段の増幅率は、前記入力アナログ信号については設定増幅率に基づいて設定され、前記増幅手段、前記Ａ／Ｄ変換手段、前記比較手段、前記積分手段、および前記増幅手段への帰還信号からなるクランプループの増幅率は、前記設定増幅率とは独立に設定されるようになっていることを特徴とする直流クランプ回路。
【請求項８】
直流分を含む入力アナログ信号とこの入力アナログ信号をクランプするための帰還信号とを加算する加算手段と、
この加算手段の出力をＡ／Ｄ変換してこれを出力信号として出力するＡ／Ｄ変換手段と、
このＡ／Ｄ変換手段の出力を所定値と比較する比較手段と、
この比較手段の出力をＤ／Ａ変換するＤ／Ａ変換手段と、
このＤ／Ａ変換手段の出力をイネーブル信号の出力期間中に積分し、この積分値を前記加算手段に前記帰還信号として帰還させる積分手段とを備え、
前記Ｄ／Ａ変換手段は、その出力レベルが前記加算手段の設定増幅率に反比例するようになっており、かつ、前記加算手段の増幅率は、前記入力アナログ信号については設定増幅率に基づいて設定され、前記加算手段、前記Ａ／Ｄ変換手段、前記比較手段、前記Ｄ／Ａ変換手段、前記積分手段、および前記加算手段への帰還信号からなるクランプループの増幅率は前記設定増幅率とは独立に設定されるようになっていることを特徴とする直流クランプ回路。
【請求項９】
前記入力アナログ信号はビデオ信号であり、前記イネーブル信号は前記入力アナログ信号から生成されるクランプパルスであることを特徴とする請求項１乃至請求項８のいずれかに記載の直流クランプ回路。
【手続補正２】
【補正対象書類名】明細書
【補正対象項目名】０００７
【補正方法】変更
【補正の内容】
【０００７】
【課題を解決するための手段】
上記課題を解決し、本発明の目的を達成するために、請求項１〜請求項９に記載の各発明は以下のように構成した。
すなわち、請求項１に記載の発明は、直流分を含む入力アナログ信号とこの入力アナログ信号をクランプするための帰還信号とを加算する加算手段と、この加算手段の出力を増幅する第１増幅手段と、この第１増幅手段の出力をＡ／Ｄ変換してこれを出力信号として出力するＡ／Ｄ変換手段と、このＡ／Ｄ変換手段の出力を所定値と比較する比較手段と、この比較手段の出力をイネーブル信号の出力期間中に積分する積分手段と、この積分手段の出力を増幅して前記加算手段に前記帰還信号として帰還させる第２増幅手段とを備え、前記第１増幅手段と前記第２増幅手段は増幅率をそれぞれ独立に設定自在であり、前記第１増幅手段の増幅率の設定の際には、その設定増幅率に依存して前記第２増幅手段の増幅率を設定するようにしたことを特徴とするものである。
請求項２に記載の発明は、請求項１に記載の直流クランプ回路において、前記第１増幅手段の増幅率と前記第２増幅手段の増幅率の積が一定となるように前記第１増幅手段と前記第２増幅手段の増幅率を設定するようにしたことを特徴とする。
【手続補正３】
【補正対象書類名】明細書
【補正対象項目名】０００８
【補正方法】変更
【補正の内容】
【０００８】
請求項３に記載の発明は、直流分を含む入力アナログ信号とこの入力アナログ信号をクランプするための帰還信号とを加算する加算手段と、この加算手段の出力を増幅する第１増幅手段と、この第１増幅手段の出力をＡ／Ｄ変換してこれを出力信号として出力するＡ／Ｄ変換手段と、このＡ／Ｄ変換手段の出力を所定値と比較する比較手段と、この比較手段の出力をＤ／Ａ変換するＤ／Ａ変換手段と、このＤ／Ａ変換手段の出力をイネーブル信号の出力期間中に積分し、この積分値を前記加算手段に前記帰還信号として帰還させる積分手段とを備え、前記第１増幅手段の増幅率と、前記Ｄ／Ａ変換手段のＤ／Ａ変換にかかる基準レベルとをそれぞれ独立に設定自在であり、前記第１増幅手段の増幅率の設定の際には、その設定増幅率に依存して前記Ｄ／Ａ変換手段の基準レベルを設定するようにしたことを特徴とするものである。
請求項４に記載の発明は、請求項３に記載の直流クランプ回路において、前記第１増幅手段の増幅率と前記Ｄ／Ａ変換手段の基準レベルの積が一定となるように前記第１増幅手段の増幅率と前記Ｄ／Ａ変換手段の基準レベルを設定するようにしたことを特徴とする。
請求項５に記載の発明は、直流分を含む入力アナログ信号とこの入力アナログ信号をクランプするための帰還信号とを加算する加算手段と、この加算手段の出力を増幅する第１増幅手段と、この第１増幅手段の出力をＡ／Ｄ変換してこれを出力信号として出力するＡ／Ｄ変換手段と、このＡ／Ｄ変換手段の出力を所定値と比較する比較手段と、この比較手段の出力をＤ／Ａ変換するＤ／Ａ変換手段と、このＤ／Ａ変換手段の出力をイネーブル信号の出力期間中に積分し、この積分値を前記加算手段に前記帰還信号として帰還させる積分手段と、この積分手段の出力を増幅して前記加算手段に前記帰還信号として帰還させる第２増幅手段とを備え、前記第１増幅手段と前記第２増幅手段の増幅率および前記Ｄ／Ａ変換手段のＤ／Ａ変換にかかる基準レベルをそれぞれ独立に設定自在であり、前記第１増幅手段の増幅率の設定の際には、その設定増幅率に依存して前記第２増幅手段の増幅率および前記Ｄ／Ａ変換手段の基準レベルを設定するようにしたことを特徴とする。
請求項６に記載の発明は、請求項５に記載の直流クランプ回路において、前記第１増幅手段の増幅率と前記第２増幅手段の増幅率と前記Ｄ／Ａ変換手段の基準レベルとの積が一定となるように前記第１増幅手段の増幅率、前記第２増幅手段の増幅率、および前記Ｄ／Ａ変換手段の基準レベルを設定するようにしたことを特徴とする。
【手続補正４】
【補正対象書類名】明細書
【補正対象項目名】０００９
【補正方法】変更
【補正の内容】
【０００９】
請求項７に記載の発明は、直流分を含む入力アナログ信号とこの入力アナログ信号をクランプするための帰還信号とを加算するとともに、その加算値を増幅する増幅手段と、この増幅手段の出力をＡ／Ｄ変換してこれを出力信号として出力するＡ／Ｄ変換手段と、このＡ／Ｄ変換手段の出力を所定値と比較する比較手段と、この比較手段の出力をイネーブル信号の出力期間中に積分し、その積分値を前記増幅手段に前記帰還信号として帰還させる積分手段とを備え、前記増幅手段の増幅率は、前記入力アナログ信号については設定増幅率に基づいて設定され、前記増幅手段、前記Ａ／Ｄ変換手段、前記比較手段、前記積分手段、および前記増幅手段への帰還信号からなるクランプループの増幅率は、前記設定増幅率とは独立に設定されるようになっていることを特徴とするものである。
【手続補正５】
【補正対象書類名】明細書
【補正対象項目名】００１０
【補正方法】変更
【補正の内容】
【００１０】
請求項８に記載の発明は、直流分を含む入力アナログ信号とこの入力アナログ信号をクランプするための帰還信号とを加算する加算手段と、この加算手段の出力をＡ／Ｄ変換してこれを出力信号として出力するＡ／Ｄ変換手段と、このＡ／Ｄ変換手段の出力を所定値と比較する比較手段と、この比較手段の出力をＤ／Ａ変換するＤ／Ａ変換手段と、このＤ／Ａ変換手段の出力をイネーブル信号の出力期間中に積分し、この積分値を前記加算手段に前記帰還信号として帰還させる積分手段とを備え、前記Ｄ／Ａ変換手段は、その出力レベルが前記加算手段の設定増幅率に反比例するようになっており、かつ、前記加算手段の増幅率は、前記入力アナログ信号については設定増幅率に基づいて設定され、前記加算手段、前記Ａ／Ｄ変換手段、前記比較手段、前記Ｄ／Ａ変換手段、前記積分手段、および前記加算手段への帰還信号からなるクランプループの増幅率は前記設定増幅率とは独立に設定されるようになっていることを特徴とするものである。
【手続補正６】
【補正対象書類名】明細書
【補正対象項目名】００１１
【補正方法】変更
【補正の内容】
【００１１】
請求項９に記載の発明は、請求項１乃至請求項８のいずれかに記載の直流クランプ回路において、前記入力アナログ信号はビデオ信号であり、前記イネーブル信号は前記入力アナログ信号から生成されるクランプパルスであることを特徴とするものである。
【手続補正７】
【補正対象書類名】明細書
【補正対象項目名】００５２
【補正方法】変更
【補正の内容】
【００５２】
【発明の効果】
以上述べたように、請求項１および請求項２に係る発明では、第１増幅手段と第２増幅手段は増幅率をそれぞれ独立に設定自在であり、第１増幅手段の増幅率の設定の際には、その設定増幅率に依存して第２増幅手段の増幅率を設定するようにした。このため、請求項１に係る発明では、直流分を含むアナログ信号のＡ／Ｄ変換の際に、アナログ信号の増幅率を変化させてもそのアナログ信号に含まれる直流変動分の入力換算レンジを狭めることがなく、かつ、直流クランプの追従性が変わることがないという効果が得られる。
【手続補正８】
【補正対象書類名】明細書
【補正対象項目名】００５３
【補正方法】変更
【補正の内容】
【００５３】
また、請求項３に係る発明では、第１増幅手段の増幅率と、Ｄ／Ａ変換手段のＤ／Ａ変換にかかる基準レベルとをそれぞれ独立に設定自在であり、第１増幅手段の増幅率の設定の際には、その設定増幅率に依存してＤ／Ａ変換手段の基準レベルを設定するようにしたので、請求項１に係る発明と同様な効果を得ることができる。
【手続補正９】
【補正対象書類名】明細書
【補正対象項目名】００５４
【補正方法】変更
【補正の内容】
【００５４】
さらに、請求項７に係る発明では、増幅手段が、入力アナログ信号については設定増幅率に基づいて設定され、増幅手段、Ａ／Ｄ変換手段、比較手段、積分手段、および増幅手段への帰還信号からなるクランプループの増幅率は、設定増幅率とは独立に設定するように構成したので、請求項１に係る発明と同様な効果を得ることができる。
また、請求項８に係る発明では、Ｄ／Ａ変換手段が、その出力レベルが加算手段の設定増幅率に反比例するようになっており、かつ、加算手段が、入力アナログ信号については設定ゲインに基づいて設定され、加算手段、Ａ／Ｄ変換手段、比較手段、Ｄ／Ａ変換手段、積分手段、および加算手段への帰還信号からなるクランプループの増幅率は前記設定増幅率とは独立に設定されるように構成したので、請求項１に係る発明と同様な効果を得ることができる。
【手続補正１０】
【補正対象書類名】明細書
【補正対象項目名】００５５
【補正方法】変更
【補正の内容】
【００５５】
さらに、請求項９に係る発明では、ビデオ信号について適用するようにしたので、ビデオ信号のＡ／Ｄ変換の際に、ビデオ信号の増幅率を変化させてもそのアナログ信号に含まれる直流変動分の入力換算レンジを狭めることがなく、かつ、直流クランプの追従性が変わることがないという効果が得られる。